(57)【要約】【課題】  防振部材を製造するための金型が複雑になり、製造に手間が掛かって高価なものになると共に、ばね定数が高くなり過ぎて防振特性が悪くなる。 【解決手段】  メカデッキ３０と外装体２０との間に防振部材５０を介在させ、メカデッキ３０を外装体２０に弾性的に支持する防振装置に関する。防振部材５０は、発泡成形された板状の発泡材に、外周縁を打ち抜く打抜き加工を施し、メカデッキ３０に設けたアーム部材６０が貫通するように係合される係合穴５１を設けたブロック体からなり、そのブロック体は、ブロック体の係合穴５１が設けられる面を除いたブロック体の各面にスリット８２を設け、かつ係合穴５１が貫通される面の四隅に係合穴の貫通方向と同一方向に貫通する貫通穴８３，８４を設けた。 【選択図】      図１
2005025930.tif 000002
【特許請求の範囲】
【請求項１】
メカデッキと外装体との間に防振部材を介在させ、上記メカデッキを上記外装体に弾性
的に支持し、上記外装体に上記防振部材の移動を阻止する固定部材を設けた防振装置にお
いて、
上記防振部材は、発泡成形された板状の発泡材に、上記メカデッキに設けたアーム部材
が貫通するように係合される係合穴を設けたブロック体からなり、
上記係合穴が設けられる面を除いた上記ブロック体の各面にスリットを設け、かつ上記
係合穴が貫通される面の四隅に上記係合穴の貫通方向と同一方向に貫通する貫通穴を設け
たことを特徴とする防振装置。 
【請求項２】
メカデッキと外装体との間に防振部材を介在させ、上記メカデッキを上記外装体に弾性
的に支持し、上記外装体には上記防振部材の移動を阻止する固定部材を設けた防振装置に
おいて、
上記防振部材は、発泡成形された板状の発泡材に、上記メカデッキに設けたアーム部材
が貫通するように係合される係合穴を設けたブロック体からなり、
上記ブロック体の上記係合穴が設けられる面の四隅に上記係合穴を囲むように上記係合
穴の貫通方向と同一方向に貫通するＬ字形の貫通穴を設けことを特徴とする防振装置。 
【請求項３】
メカデッキと外装体との間に介在される防振部材であって、
発泡成形された板状の発泡材に、上記メカデッキに設けたアーム部材が貫通するように
係合される係合穴を設けたブロック体からなり、
上記係合穴が設けられる面を除いた上記ブロック体の各面にスリットを設け、かつ上記
係合穴が貫通される面の四隅に上記係合穴の貫通方向と同一方向に貫通する貫通穴を設け
ことを特徴とする防振部材。 
【請求項４】
メカデッキと外装体との間に介在される防振部材であって、
発泡成形された板状の発泡材に、上記メカデッキに設けたアーム部材が貫通するように
係合される係合穴を設けたブロック体からなり、
上記ブロック体の上記係合穴が設けられる面の四隅に上記係合穴を囲むように上記係合
穴の貫通方向と同一方向に貫通するＬ字形の貫通穴を設けことを特徴とする防振部材。 
【発明の詳細な説明】
【技術分野】
【０００１】
本発明は、例えば、光ディスクや光磁気ディスク等のディスク状記録媒体の記録・再生
を行うディスク記録再生装置、その他の電子機器に使用して好適な防振装置及びその防振
部材に関するものである。 
【背景技術】
【０００２】
従来、一般に、この種のディスク記録再生装置等に用いられている防振装置としては、
例えば、図８及び図９に示すようなものがある。 
【０００３】
図８は、光ディスクを情報記録媒体とした光ディスク再生装置に用いられている防振装
置を示す断面図である。この防振装置は、縦断面形状が８の字形をなす中空の防振部材１
と、この防振部材１の中央の穴２を貫通する支持軸３が設けられた下ケース４と、アーム
部材５が設けられたメカデッキ６とから構成されている。下ケース４の支持軸３の先端に
はワッシャ７が取付ねじ８によって固定されており、このワッシャ８により防振部材１が
上下方向に圧縮された状態で下ケース４に取り付けられている。また、メカデッキ６のア
ーム部材５には先端側に開口する係合溝９が設けられており、この係合溝９を防振部材１
のくびれ部１０に係合することにより、メカデッキ６が防振部材１を介して下ケース４に
弾性的に支持されている。 
【０００４】
また、図９は、同じく光ディスク再生装置に用いられている防振装置の他の例を示す断
面図である。この防振装置は、縦断面８の字形の軸方向一端にボス部を設けた中空の防振
部材１１と、この防振部材１１の中央の穴１２に下方から挿入される支持軸３が設けられ
た下ケース４と、同じく防振部材１１の中央の穴１２に上方から挿入される支持軸１３が
設けられた上ケース１４と、アーム部材５が設けられたメカデッキ６とから構成されてい
る。下ケース４の支持軸３と上ケース１４の支持軸１３とは互いの軸心線が一致するよう
に配置されており、これら支持軸３，１３に防振部材１１が装着されている。そして、防
振部材１１のくびれ部１５には、アーム部５の係合溝９が係合されている。 
【０００５】
しかしながら、上述したような従来の防振装置においては、図８及び図９に示す従来例
のいずれの場合にも、防振部材１，１１は、ゴムを材料として使用して射出成形機等によ
って立体的に成形されており、防振部材１，１１の内部に空間部分を有する構造とされて
いたため、これを製造するための複雑な金型が必要とされ、防振部材１，１１の製造に手
間が掛かって高価なものとなってしまうという課題があった。 
【０００６】
また、防振部材１，１１の材質としてゴムが用いられていたため、ばね定数が高くなり
過ぎて防振特性が悪くなり、希望する防振特性を得ることが難しいという課題もあった。
更に、図８の例の場合には、組立に際してワッシャ７及び取付ねじ８が必要とされるため、部品点数が多くなって不経済であるばかりでなく、組立作業の工数も増加して作業性が悪くなるという課題もある。 
【０００７】
先行技術に係る特許等の文献としては、例えば、特許文献１〜３に示すようなものがあ
る。 
【特許文献１】実開昭６４−４８７９１号公報
【特許文献２】特開平５−１１９６１８号公報
【特許文献３】特開平７−３７３７５号公報
【発明の開示】
【発明が解決しようとする課題】
【０００８】
解決しようとする問題点は、防振部材を製造するための金型が複雑になり、製造に手間
が掛かって高価なものになると共に、ばね定数が高くなり過ぎて防振特性が悪くなる等の
点である。
【０００９】
本発明は、このような従来の課題に鑑みてなされたものであり、ばね定数が小さくて防
振特性に優れていると共に、安価な部材を用いて簡単に製造することができ、更に、組立
が容易であって作業性の向上を図ることができる防振装置及び防振部材を提供することを
目的としている。 
【課題を解決するための手段】
【００１０】
本発明は、上述したような課題等を解決し、上記目的を達成するために、本発明の防振
装置は、メカデッキと外装体との間に防振部材を介在させ、メカデッキを外装体に弾性的
に支持し、外装体に防振部材の移動を阻止する固定部材を設けた防振装置において、防振
部材は、発泡成形された板状の発泡材に、メカデッキに設けたアーム部材が貫通するよう
に係合される係合穴を設けたブロック体からなり、そのブロック体は、係合穴が設けられ
る面を除いたブロック体の各面にスリットを設け、かつ係合穴が貫通される面の四隅に係
合穴の貫通方向と同一方向に貫通する貫通穴を設けた構造、及びブロック体の係合穴が設
けられる面の四隅に係合穴を囲むように係合穴の貫通方向と同一方向に貫通するＬ字形の
貫通穴を設けた構造をも含む。
【００１１】
また、本発明の防振部材は、メカデッキと外装体との間に介在される防振部材であって、発泡成形された板状の発泡材に、メカデッキに設けたアーム部材が貫通するように係合される係合穴を設けたブロック体からなり、そのブロック体は、係合穴が設けられる面を除いたブロック体の各面にスリットを設け、かつ係合穴が貫通される面の四隅に係合穴の貫通方向と同一方向に貫通する貫通穴を設けた構造、及びブロック体の係合穴が設けられる面の四隅に係合穴を囲むように係合穴の貫通方向と同一方向に貫通するＬ字形の貫通穴を設けた構造をも含む。
【発明の効果】
【００１２】
本発明は、上述のように構成したことにより、上記の全てのブロック体において等しく
ばね定数が小さな防振部材を形成することができ、メカデッキを外装体に確実に弾性支持
することができ、外部から入力される振動を効果的に吸収又は減衰して防振特性の向上を
図ることができる。 
【００１３】
また、板状の発泡材から加工を施すことにより、ばね定数が小さくて防振特性の優れた
防振部材を簡単且つ安価に製造することができる。 
【発明を実施するための最良の形態】
【００１４】
ディスク状記録媒体の記録・再生を行うディスク記録再生装置、その他の電子機器に使用して好適な防振装置及びその防振部材を、簡単な構造によって実現した。
【実施例】
【００１５】
以下、本発明の実施例を図面に基づいて説明する。図１〜図７は本発明の実施例を示す
もので、図１は本発明が適用された光ディスク再生装置の外観斜視図、図２は図１の光デ
ィスク再生装置に内蔵されたメカデッキの斜視図、図３は図２の要部を拡大して示す斜視
図、図４は図２の要部を拡大して示す断面図、図５は本発明の防振部材の第１実施例を示
す斜視図である。また、図６は本発明の防振部材の第２実施例を示す斜視図、図７は本発
明の防振部材の第３実施例を示す斜視図である。 
【００１６】
図１に示す光ディスク再生装置は、本発明の防振装置が適用された電子機器の一具体例
を示すもので、光ディスクからなるディスク状記録媒体に記録されている情報の読み出し
を専用に行うことができるディスクプレーヤ装置（商品名：電子ブックプレーヤー）であ
る。この光ディスク再生装置は、図３に示すメカデッキ３０が内蔵された外装体２０と、
この外装体２０に対してヒンジ２１によって開閉可能に連結された蓋体２２とを備えてい
る。 
【００１７】
この光ディスク再生装置の外装体２０は、上下に重ね合わされた着脱可能な下ケース２
３と上ケース２４とからなり、上ケース２４の上面には多数の操作釦２５が露出されてい
る。この上ケース２４の上面の一辺両端には、ヒンジ２１の一方の部材を構成するヒンジ
片２１ａ，２１ａが取り付けられていると共に、これらヒンジ片２１ａ，２１ａ間には、
ヒンジ２１の他方の部材を構成するヒンジ部２１ｂが介在されており、このヒンジ部２１
ｂは蓋体２２の一辺に一体に形成されている。 
【００１８】
蓋体２２の内面には、文字・記号・画像等の情報を表示する液晶ディスプレイ２６が取
り付けられている。この液晶ディスプレイ２６は、図示しないが、ヒンジ部２１ｂと上ケ
ース２４との間を電気的に接続する電気接続手段を介して、操作釦２５が支持されている
プリント基板と電気的に接続されている。従って、ヒンジ２１を中心に蓋体２２を回動さ
せることにより、液晶ディスプレイ２６とプリント基板との間の電気接続を維持した状態
で、外装体２０に対して蓋体２２を開閉動作させることができる。 
【００１９】
この外装体２０の側面には、ディスクカートリッジ７０が出し入れされる開口窓２７が
設けられており、その開口窓２７は、上ケース２４に回動可能に支持された開閉板２８に
よって開閉可能とされている。この開閉板２８の内側にはメカデッキ３０の挿入口３１が
配置されており、ディスクカートリッジ７０で開閉板２８を押して開口窓２７から外装体
２０内にディスクカートリッジ７０を挿入することにより、当該ディスクカートリッジ７
０がメカデッキ３０内に自動的に装着される。この開口窓２７の下側には、メカデッキ３
０に装着されたディスクカートリッジ７０を排出させるための排出釦２９が側方へ突出す
るように設けられている。 
【００２０】
メカデッキ３０は、図２に示すように、上面及び前面が開口された四角形の箱型をなす
メカシャーシ３２と、このメカシャーシ３２内に収容され且つ前後方向へスライド可能に
保持されたスライダ３３と、このスライダ３３の内側に収容され且つメカシャーシ３２に
対して上下方向へ平行移動可能に支持されたカートリッジホルダ３４とを備えている。メ
カシャーシ３２の両側面の前後（合計４箇所）には上下方向に延びるガイド溝３５が設け
られていると共に、これらのガイド溝３５にはカートリッジホルダ３４に設けたカム片３
６（合計４個）が上下方向へ移動可能に係合されている。更に、カートリッジホルダ３４
の各カム片３６は、スライダ３３に設けた上下方向へ斜めに延びるカム溝３７（合計４箇
所）にもそれぞれ係合されている。 
【００２１】
尚、図２に示す４０は、ディスクカートリッジ７０のシャッタ７１を開放するためのシ
ャッタ開放レバーである。このシャッタ開放レバー４０は、挿入されたディスクカートリ
ッジ７０のシャッタ７１の切欠きに係合する係合ローラ４１を先部４０ａに有し、その反
対側の基部がカートリッジホルダ３４の上面に回動自在に支持されている。そして、シャ
ッタ開放レバー４０は、常時は線ばね４２によって前方に付勢され、係合ローラ４１が挿
入口３１に位置している。４３は、シャッタ開放レバー４０の先部４０ａの移動を許容す
るための円弧溝である。 
【００２２】
このような構成を有するメカデッキ３０は、ディスクカートリッジ７０が挿入される前
においては、スライダ３３が後退した位置にあると共に、そのカム溝３７の上端部がメカ
シャーシ３２のガイド溝３５と重なる位置にある。そのため、これらガイド溝３５とカム
溝３７とで位置が規制されているカム片３６を有するカートリッジホルダ３４は、スライ
ダ３３により押し上げられて上部位置にある。このカートリッジホルダ３４の前側の開口
が、メカデッキ３０の挿入口３１を構成している。 
【００２３】
このとき、図には表れないが、スライダ３３にはメカシャーシ３２との間にリターンス
プリングが掛け渡されていると共に、メカシャーシ３２の裏面に回動可能に設けられたス
トッパアームによってスライダ３３が着脱可能に係合支持されている。従って、スライダ
３３はリターンスプリングのばね力によって常に前側へ付勢されている一方、このスライ
ダ３３の前側への移動をストッパアームが阻止している。 
【００２４】
この状態から、ディスクカートリッジ７０をカートリッジホルダ３４の挿入口３１に挿
入し、その先端でストッパアームを押圧して後方へ回動させることによりスライダ３３の
係合を解除すると、リターンスプリングのばね力によってスライダ３３が前方へ移動する。
これにより、スライダ３３のカム溝３７が前方に移動して、メカシャーシ３２のガイド溝３５と重なるカム溝３７が下端部側に移動する。そのため、カム溝３７に案内されてカム片３６が下端側に移動し、これにより、カートリッジホルダ３４がメカシャーシ３２側に引下げられるように平行移動する。 
【００２５】
これにより、ディスクカートリッジ７０がメカデッキ３０内に装着され、この際にシャ
ッタ７１が開かれて、その内部に収容されたディスクがメカシャーシ３２に搭載されたロ
ーディング機構のチャッキング部材３８とターンテーブルとで挟持されてローディング動
作が完了する。このとき、ディスクカートリッジ７０の開口部には、同じくメカシャーシ
３２に搭載された光学ピックアップが臨んでおり、これにより、光ディスクに記録されて
いる情報の再生が可能になる。 
【００２６】
一方、メカデッキ３０からディスクカートリッジ７０を取り出す場合には、排出釦２９
を押せばよい。この場合、排出釦２９を押圧すると、その後方に位置するスライダ３３が
排出釦２９によって奥行方向に押され、このスライダ３３の移動によりカム溝３７が後方
に移動して、メカシャーシ３２のガイド溝３５と重なるカム溝３７が上端部側に移動する。
そのため、カム溝３７に案内されてカム片３６が上端側に移動し、これにより、カートリッジホルダ３４が押し上げられてメカシャーシ３２から離れるように平行移動する。 
【００２７】
これと同時に、ストッパアームが前方に回動してスライダ３３を係合保持すると共に、
線ばね４２のばね力によるシャッタ開放レバー４０の付勢力により、先端部を摘むことが
できる程度にディスクカートリッジ７０が前側に押し出され、その先端部が開口窓２７か
ら突出する。 
【００２８】
かかる構成を有するメカデッキ３０は、複数個の防振部材を介して外装体２０に弾性的
に支持されている。この防振部材の第１実施例を図３〜図５に拡大して示す。この第１実
施例の防振部材５０は、発泡成形された板状の発泡材に打抜き加工を施すことによって製
作されたものである。この防振部材５０の材質としては、泡を含んだ材料であればよく、
プラスチックフォーム（例えば、ポリウレタンフォーム、エポキシ樹脂フォーム、シリコ
ーンフォーム等）やラバーフォーム（例えば、天然ゴムフォーム、スチレン−ブタジエン
ゴムフォーム、ニトリルゴムフォーム等）を適用することができる。 
【００２９】
このような発泡材料から打ち抜き成形される防振部材５０は、横方向にやや長くしたブ
ロック体からなり、中央にはメカデッキ３０に取り付けるための横方向に延びた係合穴５
１が形成されている。そして、防振部材５０の前面及び後面を除く四面、即ち、上下面及
び左右側面には、この防振部材５０の前後、左右及び上下方向への弾性変形を許容すると
共にそのばね定数を所望の値に設定するための円弧状の切欠き５２，５３，５４，５５が
設けられている。更に、防振部材５０の横方向の下部両端をそれぞれ円弧状に丸めて、ば
ね定数の更なる調整を行っている。 
【００３０】
このような構成を有する防振部材５０をメカデッキ３０に取り付けるために、図２に示
すように、メカシャーシ３２の前部及び後部の両側部にはアーム部材６０を設けている。
このアーム部材６０は、図３及び図４に示すように、防振部材５０を所定位置に位置決め
するための位置決め部６１と、この位置決め部６１の先端に連続して設けられた係合部６
２と、この係合部６２の先端に連続して設けられた差込み部６３とから構成されている。
そして、係合部６２は、防振部材５０の係合穴５１に嵌まり合うよう当該係合穴５１に見
合う形状及び大きさに形成されていると共に、差込み部６３の上下及び左右の各面には抜
け止め用の爪体６４，６５，６６，６７が設けられている。 
【００３１】
更に、下ケース２３及び上ケース２４には、メカシャーシ３２に固定された防振部材５
０の移動を阻止して当該メカシャーシ３２を外装体２０に弾性的に支持するための固定部
材５６が設けられている。この固定部材５６は、下ケース２３に設けられた一対の下枠体
５７，５７と、この下枠体５７，５７に対向するよう上ケース２４に設けられた一対の上
枠体５８，５８とから構成されている。これら下枠体５７及び上枠体５８はそれぞれがコ
の字形をなしていると共に、互いの凹側を向かい合わせるように配置することにより、こ
れらの内側に防振部材５０を収容するための収容空間が形成されている。 
【００３２】
尚、メカシャーシ３２の材質としては、例えば、ＡＢＳ樹脂、ポリアセタール（ＰＯＭ）等の合成樹脂が好適であるが、鋼板、アルミニウム合金等の金属材料を用いることもできる。 
【００３３】
上記構成を有する防振部材５０は、次のような組立作業を行うことにより、メカデッキ
３０に簡単に取り付けることができる。即ち、防振部材５０の係合穴５１をアーム部材６
０の差込み部６３に臨ませて差し込み、係合部６２に嵌合する。これにより、防振部材５
０が位置決め部６１によって位置決めされた状態でアーム部材６０に嵌合保持されると共
に、差込み部６３の四面に設けた爪体６４〜６７によってアーム部材６０からの抜けが防
止される。 
【００３４】
このようにしてメカデッキ３０の必要箇所（本実施例では４箇所）に必要数の防振部材
５０を取り付けた後、各防振部材５０の下部を、下ケース２３の下枠体５７に嵌め込む。
次に、上ケース２４を下ケース２３の上に重ね合わせることにより、各上枠体５８を防振
部材５０の上部にそれぞれ嵌め込む。これにより、下枠体５７と上枠体５８とからなる固
定部材５６によって防振部材５０が外装体２０に対して位置決めされ、前後方向、左右方
向及び上下方向の全方向に対して固定される。その結果、メカデッキ３０は、４個の防振
部材５０を介して下ケース２３により下方からフローティングされた状態で支持される。
そして、防振部材５０の上部の撓みによる変動は、上ケース２４の上枠体５８によって防
止される。 
【００３５】
このようなメカデッキ３０の防振構造において、外装体２０に外力が加えられると、防
振部材５０が外部からの振動を吸収又は減衰して、その振動がメカデッキ３０に伝達され
るのを防止又は低減することができる。 
【００３６】
この場合、本実施例では、防振部材５０の材質として発泡成形された板状の発泡材を用
いているため、ある程度の硬さを保持しつつ防振部材５０のばね定数を可及的に小さくす
ることができる。従って、外部からの振動を確実に吸収して、その振動による影響がメカ
デッキ３０に及ぼされるのを確実に防止し、又は伝達される振動を効果的に抑制すること
ができる。しかも、防振部材５０は打抜き加工によって成形されているため、従来のゴム
成形品に比べて安価に製作することができると共に、その組立性を向上させることもでき
る。 
【００３７】
図６及び図７には、本発明の防振部材の他の実施例を示す。図６に示す第２実施例の防
振部材８０は、ブロック体の上下面及び左右両側面のそれぞれほぼ中央に、中心部分に設
けた係合穴８１方向に向かうスリット８２，８２を設けると共に、隣合うスリット８２，
８２によって仕切られた四隅に長方形の貫通穴８３，８４を設ける構造としたものである。
この場合、防振部材８０の係合穴８１が若干上面側に片寄って形成されているため、上側に位置する貫通穴８３の高さよりも下側に位置する貫通穴８４の高さが若干高く設定されている。 
【００３８】
この第２実施例の防振部材８０では、各面の中央にスリット８２を設けると共に四隅に
貫通穴８３，８４を設けることにより、これらスリット８２及び貫通穴８３，８４によっ
て上下方向、左右方向及び前後方向への弾性変形を許容できるようにすると共に、ブロッ
ク体全体の剛性を下げつつ所定のばね定数となるように調整されている。 
【００３９】
また、図７に示す第３実施例の防振部材９０は、ブロック体の四隅に、中央部分の係合
穴９１を囲むようにＬ字形の貫通溝９２，９３を設けたものである。この場合には、貫通
溝９２，９３の形状によって上下、左右及び前後方向への弾性変形が許容されていると共
に、ブロック体全体の剛性を下げて所定のばね定数となるように構成されている。 
【００４０】
以上説明したが、本発明は上記実施例に限定されるものではなく、例えば、上記実施例
においては、電子機器の一具体例として情報記録媒体に予め記録されている情報の再生を
専用とした光ディスク再生装置に適用した例について説明したが、情報記録媒体に対して
情報の記録・再生が自由な光磁気ディスク記録再生装置、その他の電子機器にも適用する
ことができることは勿論である。このように、本発明は、その趣旨を逸脱しない範囲で種々変更できるものである。 
【００４１】
以上説明したように、本発明の防振装置によれば、発泡成形された板状の発泡材から加
工を施して防振部材を形成したため、従来の防振部材と同等の防振特性を有する防振部材
を簡単且つ安価に製造することができると共に、ばね定数の小さな防振部材によってメカ
デッキを外装体に確実に弾性支持することができ、外部から入力される振動を効果的に吸
収又は減衰して防振特性の向上を図ることができる防振装置を提供することができる。 
【００４２】
また、本発明の防振部材によれば、発泡成形された板状の発泡材から加工を施して成形
するようにしたため、ばね定数が小さくて防振特性の優れた防振部材を簡単且つ安価に製
造することができる。 
【図面の簡単な説明】
【００４３】
【図１】本発明の一実施例を示す防振装置が適用された光ディスク再生装置の外観斜視図である。
【図２】図１の光ディスク再生装置に内蔵されたメカデッキの一実施例を示す斜視図である。
【図３】本発明に係るメカデッキのアーム部材に防振部材を装着する状態を示す斜視図である。
【図４】図２の要部を拡大して示す断面図である。
【図５】本発明の防振部材の第１実施例を示す斜視図である。
【図６】本発明の防振部材の第２実施例を示す斜視図である。
【図７】本発明の防振部材の第３実施例を示す斜視図である。
【図８】従来の防振装置の一例を示す断面図である。
【図９】従来の防振装置の他の例を示す断面図である。
【符号の説明】
【００４４】
２０  外装体、２２  蓋体、２３  下ケース、２４  上ケース、２７  開口窓、３０  メカデッキ、３１  挿入口、３２  メカシャーシ、３３  スライダ、３４  
カートリッジホルダ、４０  シャッタ開放レバー、５０，８０，９０  防振部材、５
１，８１，９１  係合穴、５６  固定部材、６０  アーム部材、６２  係合部、７
０  ディスクカートリッジ、８２  スリット、８３，８４  貫通穴
【図１】
2005025930.tif 000003
【図２】
2005025930.tif 000004
【図３】
2005025930.tif 000005
【図４】
2005025930.tif 000006
【図５】
2005025930.tif 000007
【図６】
2005025930.tif 000008
【図７】
2005025930.tif 000009
【図８】
2005025930.tif 000010
【図９】
2005025930.tif 000011